(57)【特許請求の範囲】
【請求項１】
フレーム構成を有するディジタル信号に含まれる複数のトランスポートストリームを分離するためのディジタル復号器であって、
フレーム構成を有するディジタル信号に含まれる伝送多重構成制御情報を読み取って当該フレームにおける複数のトランスポートストリームそれぞれの配置を特定するための基本情報を作成し、作成した基本情報をディジタル信号に挿入した後、当該基本情報を含んだ各々のトランスポートストリームを分離して出力する、
ことを特徴とするディジタル復号器。
【請求項２】
フレーム構成を有するディジタル信号を復調する信号復調手段と、
前記信号復調手段により復調されたディジタル信号の誤りを訂正する誤り訂正手段と、
前記信号復調手段により復調されたディジタル信号に含まれる伝送多重構成制御情報を読み取り、ディジタル信号から分離されるトランスポートストリームごとのフレームにおける配置を特定するための基本情報を作成する基本情報作成手段と、
前記基本情報作成手段により作成された基本情報を前記誤り訂正手段により誤りが訂正されたディジタル信号に挿入する情報挿入手段と、
前記情報挿入手段が基本情報を挿入したディジタル信号から、当該基本情報を含んだ各々のトランスポートストリームを分離して出力する分離出力手段とを備える、
ことを特徴とするディジタル復号器。
【請求項３】
前記誤り訂正手段は、前記信号復調手段により復調されたディジタル信号が形成するフレームごとに含まれるリードソロモンパリティに基づいてディジタル信号の誤りを訂正し、
前記情報挿入手段は、前記誤り訂正手段により誤りが訂正されたディジタル信号が形成する各フレームに含まれるリードソロモンパリティを前記基本情報作成手段により作成された基本情報で置換することにより、基本情報をディジタル信号に挿入する、
ことを特徴とする請求項２に記載のディジタル復号器。
【請求項４】
前記信号復調手段は、フレームごとに階層化した複数種類の変調方式を用いて伝送されたディジタル信号を復調し、
前記基本情報作成手段は、各トランスポートストリームが配置されたフレームで用いられた変調方式と符号化率を示す情報を含む基本情報を作成する、
ことを特徴とする請求項２又は３に記載のディジタル復号器。
【請求項５】
フレーム構成を有するディジタル信号に含まれる複数のトランスポートストリームを分離するためのディジタル復号方法であって、
フレーム構成を有するディジタル信号に含まれる伝送多重構成制御情報を読み取って当該フレームにおける複数のトランスポートストリームそれぞれの配置を特定するための基本情報を作成し、作成した基本情報をディジタル信号に挿入した後、当該基本情報を含んだ各々のトランスポートストリームを分離して出力する、
ことを特徴とするディジタル復号方法。
【請求項６】
フレーム構成を有するディジタル信号を復調する信号復調ステップと、
前記信号復調ステップにて復調したディジタル信号の誤りを訂正する誤り訂正ステップと、
前記信号復調ステップにて復調したディジタル信号に含まれる伝送多重構成制御情報を読み取り、ディジタル信号から分離されるトランスポートストリームごとのフレームにおける配置を特定するための基本情報を作成する基本情報作成ステップと、
前記基本情報作成ステップにて作成した基本情報を前記誤り訂正ステップにて誤りを訂正したディジタル信号に挿入する情報挿入ステップと、
前記情報挿入ステップにて基本情報を挿入したディジタル信号から、当該基本情報を含んだ各々のトランスポートストリームを分離して出力する分離出力ステップとを備える、
ことを特徴とするディジタル復号方法。
【請求項７】
前記誤り訂正ステップは、前記信号復調ステップにて復調したディジタル信号が形成するフレームごとに含まれるリードソロモンパリティに基づいてディジタル信号の誤りを訂正し、
前記情報挿入ステップは、前記誤り訂正ステップにて誤りを訂正したディジタル信号が形成する各フレームに含まれるリードソロモンパリティを前記基本情報作成ステップにて作成した基本情報で置換することにより、基本情報をディジタル信号に挿入する、
ことを特徴とする請求項６に記載のディジタル復号方法。
【発明の詳細な説明】
【０００１】
【発明の属する技術分野】
この発明は、ＢＳディジタル放送を受信するディジタル放送受信機に好適なディジタル復号器に係り、特に、分離したトランスポートストリームの再利用を容易にするディジタル復号器に関する。
【０００２】
【従来の技術】
ＢＳ（Ｂｒｏａｄｃａｓｔｉｎｇ  Ｓａｔｅｌｌｉｔｅ）ディジタル放送において、放送の内容となる映像や音声、データは、放送事業者ごとに設定したトランスポートストリームの形式で送受信される。このトランスポートストリームは、例えばＭＰＥＧ−ＴＳ（Ｍｏｖｉｎｇ  Ｐｉｃｔｕｒｅ  Ｅｘｐｅｒｔｓ  Ｇｒｏｕｐ−Ｔｒａｎｓｐｏｒｔ  Ｓｔｒｅａｍ）であり、送信側で複数（最大８本）のトランスポートストリームを多重化することにより、ＩＳＤＢ−Ｓ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｓａｔｅｌｌｉｔｅ）伝送用のフレームに配置される。
このフレームは、４８個のスロットからなり、８つのフレームにより、１つのスーパーフレームを構成する。このスーパーフレーム構成のディジタル信号は、周波数利用効率や耐雑音性の向上を図るため、スロットごとに階層化された複数種類のＰＳＫ（Ｐｈａｓｅ  Ｓｈｉｆｔ  Ｋｅｙｉｎｇ）変調方式（ＴＣ８ＰＳＫ；Ｔｒｅｌｌｉｓ  Ｃｏｄｅｄ−８ＰＳＫ、ＱＰＳＫ；Ｑｕａｄｒａｔｕｒｅ−ＰＳＫ、ＢＰＳＫ；Ｂｉｎａｒｙ−ＰＳＫ）を用いて受信側に伝送される。
【０００３】
この際、各スロットの変調方式や多重化の構成は、伝送多重構成制御（ＴＭＣＣ；Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）情報に示され、フレームのヘッダー部を用いて受信側に伝達される。
受信側では、復調・復号等によりＩＳＤＢ−Ｓ伝送用のフレーム構成を有するディジタル信号を再生すると、伝送多重構成制御情報（ＴＭＣＣ情報）などに従って、多重化されているトランスポートストリームを分離する。分離されたトランスポートストリームは、ＭＰＥＧデコーダ等のソース・デコーダ（情報復号器）に供給されることにより、多重化された映像や音声、データの復調を可能とする。
【０００４】
【発明が解決しようとする課題】
上記従来技術において、受信側で分離されたトランスポートストリームは、例えばＭＰＥＧ−ＴＳであり、１８８バイト単位のパケットデータ、あるいは１６バイトのリードソロモンパリティが付加された２０４バイト形式のデータである。
【０００５】
この場合、分離されたトランスポートストリームには、伝送多重構成制御情報（ＴＭＣＣ情報）が含まれていないため、ＩＳＤＢ−Ｓ伝送用のフレームにおいてどのような配置で伝送されたのかを特定することができない。
このため、分離されたトランスポートストリームを再利用して、例えば再びＩＳＤＢ−Ｓ伝送用のフレームに配置する場合、新たに各トランスポートストリームの配置を決めなければならず、送信と合わせたフレーム位置に再配置することが困難になるという問題があった。
【０００６】
この発明は、上記実状に鑑みてなされたものであり、ＢＳディジタル放送用のフレーム構成を有するディジタル信号から分離したトランスポートストリームの再利用を容易にするディジタル復号器を提供することを目的とする。
【０００７】
【課題を解決するための手段】
上記目的を達成するべく、この発明の第１の観点に係るディジタル復号器は、
フレーム構成を有するディジタル信号に含まれる複数のトランスポートストリームを分離するためのものであって、
フレーム構成を有するディジタル信号に含まれる伝送多重構成制御情報を読み取って当該フレームにおける複数のトランスポートストリームそれぞれの配置を特定するための基本情報を作成し、作成した基本情報をディジタル信号に挿入した後、当該基本情報を含んだ各々のトランスポートストリームを分離して出力する、
ことを特徴とする。
【０００８】
この発明によれば、フレーム構成を有するディジタル信号に含まれる伝送多重構成制御情報を読み取ってフレームにおけるトランスポートストリームの配置を特定するための基本情報を作成し、作成した基本情報をディジタル信号に挿入してトランスポートストリームを分離する。
これにより、トランスポートストリームがディジタル放送用のフレームにおいていかなる配置であったかを容易に特定することができ、トランスポートストリームの解析や再合成といったトランスポートストリームの再利用が容易となる。
【０００９】
この発明の第２の観点に係るディジタル復号器は、
フレーム構成を有するディジタル信号を復調する信号復調手段と、
前記信号復調手段により復調されたディジタル信号の誤りを訂正する誤り訂正手段と、
前記信号復調手段により復調されたディジタル信号に含まれる伝送多重構成制御情報を読み取り、ディジタル信号から分離されるトランスポートストリームごとのフレームにおける配置を特定するための基本情報を作成する基本情報作成手段と、
前記基本情報作成手段により作成された基本情報を前記誤り訂正手段により誤りが訂正されたディジタル信号に挿入する情報挿入手段と、
前記情報挿入手段が基本情報を挿入したディジタル信号から、当該基本情報を含んだ各々のトランスポートストリームを分離して出力する分離出力手段とを備える、
ことを特徴とする。
【００１０】
この発明によれば、基本情報作成手段は、信号復調手段により復調されたフレーム構成を有するディジタル信号に含まれる伝送多重構成制御情報を読み取り、ディジタル信号から分離されるトランスポートストリームのフレームにおける配置を特定するための基本情報を作成する。情報挿入手段は、基本情報作成手段により作成された基本情報を誤り訂正手段により誤りが訂正されたディジタル信号に挿入する。
これにより、ディジタル信号から分離されるトランスポートストリームがディジタル放送用のフレームにおいていかなる配置であったかを容易に特定することができ、トランスポートストリームの再利用が容易となる。
【００１１】
前記誤り訂正手段は、前記信号復調手段により復調されたディジタル信号が形成するフレームごとに含まれるリードソロモンパリティに基づいてディジタル信号の誤りを訂正し、
前記情報挿入手段は、前記誤り訂正手段により誤りが訂正されたディジタル信号が形成する各フレームに含まれるリードソロモンパリティを前記基本情報作成手段により作成された基本情報で置換することにより、基本情報をディジタル信号に挿入することが望ましい。
【００１２】
前記信号復調手段は、フレームごとに階層化した複数種類の変調方式を用いて伝送されたディジタル信号を復調し、
前記基本情報作成手段は、各トランスポートストリームが配置されたフレームで用いられた変調方式と符号化率を示す情報を含む基本情報を作成してもよい。
【００１３】
この発明の第３の観点に係るディジタル復号方法は、
フレーム構成を有するディジタル信号に含まれる複数のトランスポートストリームを分離するための方法であって、
フレーム構成を有するディジタル信号に含まれる伝送多重構成制御情報を読み取って当該フレームにおける複数のトランスポートストリームそれぞれの配置を特定するための基本情報を作成し、作成した基本情報をディジタル信号に挿入した後、当該基本情報を含んだ各々のトランスポートストリームを分離して出力する、
ことを特徴とする。
【００１４】
また、この発明の第４の観点に係るディジタル復号方法は、
フレーム構成を有するディジタル信号を復調する信号復調ステップと、
前記信号復調ステップにて復調したディジタル信号の誤りを訂正する誤り訂正ステップと、
前記信号復調ステップにて復調したディジタル信号に含まれる伝送多重構成制御情報を読み取り、ディジタル信号から分離されるトランスポートストリームごとのフレームにおける配置を特定するための基本情報を作成する基本情報作成ステップと、
前記基本情報作成ステップにて作成した基本情報を前記誤り訂正ステップにて誤りを訂正したディジタル信号に挿入する情報挿入ステップと、
前記情報挿入ステップにて基本情報を挿入したディジタル信号から、当該基本情報を含んだ各々のトランスポートストリームを分離して出力する分離出力ステップとを備える、
ことを特徴とする。
【００１５】
前記誤り訂正ステップは、前記信号復調ステップにて復調したディジタル信号が形成するフレームごとに含まれるリードソロモンパリティに基づいてディジタル信号の誤りを訂正し、
前記情報挿入ステップは、前記誤り訂正ステップにて誤りを訂正したディジタル信号が形成する各フレームに含まれるリードソロモンパリティを前記基本情報作成ステップにて作成した基本情報で置換することにより、基本情報をディジタル信号に挿入することが望ましい。
【００１６】
【発明の実施の形態】
以下に、図面を参照して、この発明の実施の形態に係るディジタル復号器について詳細に説明する。
【００１７】
このディジタル復号器は、例えばＢＳ（Ｂｒｏａｄｃａｓｔｉｎｇ  Ｓａｔｅｌｌｉｔｅ）ディジタル放送を受信するためのディジタル放送受信機内に設けられる。
【００１８】
図１は、ＢＳディジタル放送にて送られるディジタル信号の構成の一例を示す図である。
図示するように、ＢＳディジタル放送にて送られるディジタル信号は、８つのフレームからなるスーパーフレームを形成し、１つのスーパーフレームには、（最大）７７９５２バイトのデータと９６バイトの伝送多重構成制御（ＴＭＣＣ；Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  Ｃｏｎｔｒｏｌ）情報が含まれている。
【００１９】
また、各フレームは、それぞれ２０３バイトのデータからなる４８個のスロットを含んでいる。
ここで、各フレームの第１スロット（スロット＃１）と第２スロット（スロット＃２）の先頭１バイトは、フレームの先頭であることを示すユニークワードとなるフレーム同期信号Ｗ１である。より具体的には、各フレームの第１スロット（スロット＃１）の先頭１バイトは、１６進表示で”１Ｂ”を示すデータであり、各フレームの第２スロット（スロット＃２）の先頭１バイトは、１６進表示で”９５”を示すデータである。
【００２０】
各フレームの第３スロット（スロット＃３）から第１０スロット（スロット＃１０）の先頭１バイトは、各スロットに配置されたトランスポートストリームを識別するための情報や各スロットの変調方式を示す情報等を含む伝送多重構成制御情報（ＴＭＣＣ情報）である。
【００２１】
伝送多重構成制御情報には、（６４，４８）リードソロモン符号が使用されている。
図２は、１つのスーパーフレームで送られる伝送多重構成制御情報をリードソロモン復号した後の構成を示す図である。
図示するように、伝送多重構成制御情報は、変更指示情報１００と、伝送モード／スロット情報１０１と、相対ＴＳ（Ｔｒａｎｓｐｏｒｔ  Ｓｔｒｅａｍ）／スロット情報１０２と、相対ＴＳ／ＴＳ番号対照テーブル１０３と、送信機／受信機制御情報１０４と、拡張情報１０５とから構成される。
【００２２】
変更指示情報１００は、各スロットでの変調方式や符号化率といった伝送モードの変更等を指示するための５ビットのデータである。
【００２３】
伝送モード／スロット情報１０１は、各スロットでの伝送モードを特定するための４０ビットのデータであり、図３（ａ）に示すように、伝送モードを示す４ビットのモード情報１０１ａと、当該伝送モードが割り当てられるスロット数を示す６ビットのスロット番号情報１０１ｂとを４組分含んでいる。
【００２４】
相対ＴＳ／スロット情報１０２は、各スロットに配置されたトランスポートストリームの相対ＴＳ番号を示す１４４ビットのデータであり、図３（ｂ）に示すように、各スロットに配置されたトランスポートストリームの相対ＴＳ番号を示す３ビットの相対ＴＳ情報１０２ａを４８個含んでいる。
【００２５】
相対ＴＳ／ＴＳ番号対照テーブル１０３は、相対ＴＳ番号とトランスポートストリームの識別番号であるＴＳ＿ＩＤ（Ｔｒａｎｓｐｏｒｔ  Ｓｔｒｅａｍ＿ＩＤｅｎｔｉｆｉｅｒ）との対応関係を示す１２８ビットのデータである。図３（ｃ）に示すように、相対ＴＳ／ＴＳ番号対照テーブル１０３は、１つのスーパーフレームに配置可能な最大８本のトランスポートストリームの識別番号（ＴＳ＿ＩＤ）を示すための１６ビットのＩＤ情報１０３ａを８個含んでいる。
【００２６】
送信機／受信機制御情報１０４は、緊急放送時に受信機の動作を強制的に切り替えるためのデータを含んだ５ビットのデータである。
【００２７】
拡張情報１０５は、伝送多重構成制御情報により伝送する付加的な情報を配置するための６２ビットのデータである。
【００２８】
図１に戻って、各フレームの第１１スロット（スロット＃１１）と第１２スロット（スロット＃１２）の先頭１バイトは、スーパーフレーム内における各フレームの位置を示すユニークワードとなるフレーム同期信号Ｗ２、Ｗ３である。より具体的には、スーパーフレーム構成の先頭（第１番目）となるフレームは、フレーム同期信号Ｗ２を備え、第１１スロット（スロット＃１１）の先頭１バイトが１６進表示で”Ａ３”を示し、第１２スロット（スロット＃１２）の先頭１バイトが１６進表示で”４０”を示す。また、スーパーフレーム構成の先頭以外のフレームは、フレーム同期信号Ｗ３を備え、第１１スロット（スロット＃１１）の先頭１バイトが１６進表示で”５Ｃ”を示し、第１２スロット（スロット＃１２）の先頭１バイトが１６進表示で”ＢＦ”を示す。
【００２９】
図４は、この発明の実施の形態に係るディジタル復号器の構成を示す図である。
図示するように、このディジタル復号器は、復調部１と、同期検出部２と、トレリスビタビデコード部３と、デインターリーブ部４と、エネルギー逆拡散部５と、リードソロモン訂正部６と、ＴＭＣＣ（Ｔｒａｎｓｆｅｒ  ａｎｄ  Ｍｕｌｔｉｐｌｅｘｉｎｇ  Ｃｏｎｆｉｇｕｒａｔｉｏｎ  Ｃｏｎｔｒｏｌ）デコード部７と、基本ＴＭＣＣ情報挿入部８と、ＴＳ（Ｔｒａｎｓｐｏｒｔ  Ｓｔｒｅａｍ）分離部９とを備えている。
【００３０】
復調部１は、例えば位相調整器、デマッパ等から構成され、直交検波器での検波等により得られたＩ（Ｉｎ−ｐｈａｓｅ；同相）成分とＱ（Ｑｕａｄｒａｔｕｒｅ−ｐｈａｓｅ；直交）成分からなるベースバンド信号を受けて符号系列を形成するディジタル信号を復元する。
復調部１は、復元したディジタル信号を同期検出部２とトレリスビタビデコード部３に送る。
【００３１】
同期検出部２は、復調部１が復調したディジタル信号からフレーム同期パターンを検出するためのものである。同期検出部２は、フレーム同期パターンを検出したタイミングを示す同期信号を、トレリスビタビデコード部３とＴＭＣＣデコード部７に送る。
【００３２】
トレリスビタビデコード部３は、内符号としてトレリス符号化、あるいは畳み込み符号化が施されたディジタル信号の復号を行うためのものであり、復調部１から受けたディジタル信号を復号してデインターリーブ部４に送る。
この際、トレリスビタビデコード部３は、インターリーブやエネルギー拡散が施されていない伝送多重構成制御情報を分離してリードソロモン訂正部６に送る。
【００３３】
デインターリーブ部４は、フレームメモリとして機能するＲＡＭ（Ｒａｎｄｏｍ  Ａｃｃｅｓｓ  Ｍｅｍｏｒｙ）等から構成され、送信側にてインターリーブされたディジタル信号を復元するためのものである。デインターリーブ部４は、トレリスビタビデコード部３から受けたディジタル信号をデインターリーブしてエネルギー逆拡散部５に送る。
【００３４】
エネルギー逆拡散部５は、送信側においてエネルギー拡散のためにランダム化されたディジタル信号を復元するためのものであり、デインターリーブ部４から受けたディジタル信号を逆拡散してリードソロモン訂正部６に送る。
【００３５】
リードソロモン訂正部６は、リードソロモン符号化が施されたディジタル信号の誤りを訂正するためのものであり、エネルギー逆拡散部５から受けたディジタル信号に生じた誤りを訂正して基本ＴＭＣＣ情報挿入部８に送る。
また、リードソロモン訂正部６は、トレリスビタビデコード部３から受けた伝送多重構成制御情報の誤りを訂正してＴＭＣＣデコード部７に送る。
【００３６】
ＴＭＣＣデコード部７は、リードソロモン訂正部６にて誤りが訂正された伝送多重構成制御情報を読み取り、復調部１やトレリスビタビデコード部３に動作を規定する情報を提供するためのものである。
例えば、ＴＭＣＣデコード部７は、復号された伝送多重構成制御情報に含まれる伝送モード／スロット情報１０１を復調部１及びトレリスビタビデコード部３に送り、スロットごとの伝送モードに応じた復調・復号を可能とする。
また、ＴＭＣＣデコード部７は、伝送多重構成制御情報を読み取った結果に従って、ディジタル信号が構成するフレームに配置された各トランスポートストリームに付加するための基本ＴＭＣＣ情報を作成する。
ここで、基本ＴＭＣＣ情報は、ディジタル信号から分離されるトランスポートストリームごとのフレームにおける配置を特定するための情報である。
【００３７】
図５は、基本ＴＭＣＣ情報の構成の一例を示す図である。
図示するように、基本ＴＭＣＣ情報は、例えば、ＳＦ（Ｓｕｐｅｒ  Ｆｌａｍｅ）識別情報１５０と、フレーム識別情報１５１と、変更指示情報１５２と、起動制御情報１５３と、バッファリセット情報１５４と、伝送モード情報１５５と、スロット情報１５６と、ＩＤ情報１５７とを備える８バイト（６４ビット）のデータである。
【００３８】
ＳＦ識別情報１５０は、スーパーフレームの先頭であるか否かを示す１ビットのデータである。例えば、ＳＦ識別情報１５０は、スーパーフレームの先頭であるときに”１”となり、それ以外では”０”となる。
【００３９】
フレーム識別情報１５１は、フレームの先頭であるか否かを示す１ビットのデータである。例えば、フレーム識別情報１５１は、フレームの先頭であるときに”１”となり、それ以外では”０”となる。
【００４０】
変更指示情報１５２は、伝送モード等に変更があるか否かを示す１ビットのデータである。例えば、変更指示情報１５２は、伝送モードに変更があるときに”１”となり、それ以外では”０”となる。
【００４１】
起動制御情報１５３は、受信機の動作を強制的に切り替える緊急放送用のトランスポートストリームであるか否かを示す１ビットのデータである。例えば、起動制御情報１５３は、緊急放送用のトランスポートストリームであるときに”１”となり、それ以外では”０”となる。
【００４２】
バッファリセット情報１５４は、ディジタル放送受信機が備えるバッファのリセットを指示するための１ビットのデータであり、例えばバッファリセットのときに”１”となる。
【００４３】
伝送モード情報１５５は、各トランスポートストリームが配置されていたスロットの伝送モードを示す４ビットのデータである。
図６は、伝送モード情報１５５が示す伝送モードを説明するための図である。図示するように、伝送モード情報１５５は、４ビットのデータにより、ＢＳディジタル放送で用いられるスロットごとに階層化された複数種類のＰＳＫ（Ｐｈａｓｅ  Ｓｈｉｆｔ  Ｋｅｙｉｎｇ）変調方式（ＴＣ８ＰＳＫ；Ｔｒｅｌｌｉｓ  Ｃｏｄｅｄ−８ＰＳＫ、ＱＰＳＫ；Ｑｕａｄｒａｔｕｒｅ−ＰＳＫ、ＢＰＳＫ；Ｂｉｎａｒｙ−ＰＳＫ）と、各スロットにおける内符号（トレリス符号、あるいは畳み込み符号）の符号化率ｎとを示す。
【００４４】
スロット情報１５６は、伝送モード情報１５５に示される伝送モードが割り当てられているスロット数を示す６ビットのデータである。
【００４５】
ＩＤ情報１５７は、トランスポートストリームの識別番号であるＴＳ＿ＩＤを示す１６ビットのデータである。
【００４６】
ＴＭＣＣデコード部７は、上記構成を有する基本ＴＭＣＣ情報を基本ＴＭＣＣ情報挿入部８に送る。
【００４７】
図４に戻って、基本ＴＭＣＣ情報挿入部８は、ＴＭＣＣデコード部７から受けた基本ＴＭＣＣ情報を、リードソロモン訂正部６から受けたディジタル信号に挿入するためのものである。
この際、基本ＴＭＣＣ情報挿入部８は、例えば図１に示すようなスーパーフレーム構成を有するディジタル信号に外符号として含まれるリードソロモンパリティの一部を、基本ＴＭＣＣ情報に置き換えることにより、基本ＴＭＣＣ情報を挿入する。
基本ＴＭＣＣ情報挿入部８は、基本ＴＭＣＣ情報を挿入したディジタル情報をＴＳ分離部９に送る。
【００４８】
ＴＳ分離部９は、基本ＴＭＣＣ情報挿入部８から受けたディジタル信号をトランスポートストリームに分離するためのものである。
ＴＳ分離部９は、図１に示すようなスーパーフレームを構成するディジタル信号をフレームごとに分離し、各フレームの先頭１バイトを１６進表示で”４７”となるデータに置換することにより、２０４バイト形式の例えばＭＰＥＧ−ＴＳ（Ｍｏｖｉｎｇ  Ｐｉｃｔｕｒｅ  Ｅｘｐｅｒｔｓ  Ｇｒｏｕｐ−ＴＳ）を復元する。
ＴＳ分離部９は、外部から指定されたトランスポートストリームの識別番号であるＴＳ＿ＩＤに応じたトランスポートストリームを出力し、  ＭＰＥＧデコーダ等に供給する。
【００４９】
以下に、この発明の実施の形態に係るディジタル復号器の動作を説明する。
このディジタル復号器は、フレーム構成のディジタル信号から分離したトランスポートストリームにより分離前のフレームでの配置を特定可能とする基本ＴＭＣＣ情報を挿入することにより、ＢＳディジタル放送にて伝送されたトランスポートストリームの再利用を容易にする装置である。
【００５０】
まず、復調部１は、直交検波器での検波等により得られたＩ成分とＱ成分からなるベースバンド信号を受け、符号系列を形成するディジタル信号を復調する。この際、復調部１は、ＴＭＣＣデコード部７から伝送多重構成制御情報に含まれる伝送モード／スロット情報１０１等を受け、スロットごとに階層化された複数種類の変調方式を用いて伝送されるディジタル信号を復調する。
なお、伝送多重構成制御情報は、２つのスーパーフレーム分だけ遅れて伝送されるディジタル信号が形成するスーパーフレームの構成を示している。
復調部１は、復調したディジタル信号を同期検出部２とトレリスビタビデコード部３に送る。
【００５１】
同期検出部２は、復調部１から受けたディジタル信号に含まれるフレーム同期パターンを検出し、フレーム同期検出パターンを検出したタイミングを示す同期信号を、トレリスビタビデコード部３とＴＭＣＣデコード部７に送る。
【００５２】
トレリスビタビデコード部３は、復調部１から受けたディジタル信号を復号する。
トレリスビタビデコード部３は、復号したディジタル信号のうちで、伝送多重構成制御情報のようにインターリーブやエネルギー拡散が施されていない部位を分離してリードソロモン訂正部６に送る。また、トレリスビタビデコード部３は、インターリーブやエネルギー拡散が施されているディジタル信号をデインターリーブ部４に送る。
【００５３】
デインターリーブ部４は、トレリスビタビデコード部３から受けたディジタル信号をデインターリーブしてエネルギー逆拡散部５に送る。
エネルギー逆拡散部５は、デインターリーブ部４から受けたディジタル信号を逆拡散してリードソロモン訂正部６に送る。
【００５４】
リードソロモン訂正部６は、エネルギー逆拡散部５から受けたディジタル信号に生じた誤りを訂正して基本ＴＭＣＣ情報挿入部８に送る。
また、リードソロモン訂正部６は、トレリスビタビデコード部３から受けた伝送多重構成制御情報の誤りを訂正してＴＭＣＣデコード部７に送る。
【００５５】
ＴＭＣＣデコード部７は、リードソロモン訂正部６から受けた伝送多重制御情報を読み取り、復調部１やトレリスビタビデコード部３が復調や復号を行うために必要な情報を抽出して供給する。
また、ＴＭＣＣデコード部７は、伝送多重制御情報に含まれる情報を抽出することにより、図５に示すような８バイトの基本ＴＭＣＣ情報を作成し、基本ＴＭＣＣ情報挿入部８に送る。
【００５６】
基本ＴＭＣＣ情報挿入部８は、リードソロモン訂正部６から受けたディジタル信号にＴＭＣＣデコード部７から受けた基本ＴＭＣＣ情報を挿入する。
例えば、基本ＴＭＣＣ情報挿入部８は、送信側から伝送されたディジタル信号が構成するフレームごとに外符号として含まれる１６バイトのリードソロモンパリティのうち、先頭側８バイトをＴＭＣＣデコード部７から受けた基本ＴＭＣＣ情報に置き換える。
ここで、基本ＴＭＣＣ情報には、各スロットの変調方式や符号化率といった伝送モードを示す伝送モード情報１５５や、各スロットへの伝送モードの割当を示すスロット情報１５６が含まれている。
従って、この基本ＴＭＣＣ情報をフレームごとに配置されたトランスポートストリームに挿入して組み込むことにより、各トランスポートストリームがＩＳＤＢ−Ｓ伝送用のフレームにおいてどのような配置で伝送されたのかを容易に特定することができる。
【００５７】
基本ＴＭＣＣ情報挿入部８は、基本ＴＭＣＣ情報を挿入したディジタル信号をＴＳ分離部９に送る。
【００５８】
ＴＳ分離部９は、基本ＴＭＣＣ情報挿入部８から受けたディジタル信号をトランスポートストリームに分離し、外部から指定されたＴＳ＿ＩＤに応じたトランスポートストリームをＭＰＥＧデコーダといったソース・デコーダ等に出力する。
【００５９】
例えば、ＴＳ分離部９は、図７（ａ）に示すような１スロット分のトランスポートストリームを分離して出力する。
ここで、ＴＳ分離部９により分離されたトランスポートストリームは、例えばデータ部に続く８バイトが基本ＴＭＣＣ情報となっていることから、トランスポートストリームがＩＳＤＢ−Ｓ伝送用のフレームにおいてどのような配置で伝送されたのかを容易に特定することができる。
これにより、例えばＴＳ分離部９が出力するトランスポートストリームを再びＩＳＤＢ−Ｓ伝送用のフレームに配置するような場合の処理が簡単となり、トランスポートストリームの再利用が容易となる。
また、図７（ｂ）は、ＴＳ分離部９が複数のスロットから分離したトランスポートストリームを示す図である。
【００６０】
以上説明したように、この発明によれば、ＢＳディジタル放送用のフレーム構成を有するディジタル信号に含まれる伝送多重構成制御情報を読み取って基本ＴＭＣＣ情報を作成し、フレームごとに配置されたトランスポートストリームに挿入する。
これにより、ＢＳディジタル放送にて伝送されたディジタル信号から分離したトランスポートストリームがＩＳＤＢ−Ｓ伝送用のフレームにおいてどのような配置であったのかを容易に特定することができ、分離したトランスポートストリームの解析や再合成といった処理を簡略化することができる。すなわち、分離したトランスポートストリームの再利用が容易となる。
【００６１】
なお、基本ＴＭＣＣ情報の構成は、フレームを形成するディジタル信号から分離したトランスポートストリームを再利用するための処理にあわせて任意に変更することができ、上記実施の形態に示した構成に限定されるものではない。
【００６２】
また、この発明は、ＢＳディジタル放送に限らず、複数のトランスポートストリームをフレームに配置して、フレームごとに階層化された複数の伝送モードを用いて伝送する任意の通信システムあるいは放送システムに適用可能である。
【００６３】
【発明の効果】
以上の説明のように、この発明によれば、フレーム構成を有するディジタル信号により伝送された伝送多重構成制御情報を読み取って作成した基本ＴＭＣＣ情報を、分離した各トランスポートストリームに含まれるように挿入することにより、トランスポートストリームの再利用を容易にすることができる。
【図面の簡単な説明】
【図１】ＢＳディジタル放送にて伝送されるディジタル信号の構成の一例を示す図である。
【図２】伝送多重構成制御情報の構成を示す図である。
【図３】伝送多重構成制御情報に含まれる各種情報の構成を示す図である。
【図４】この発明の実施の形態に係るディジタル復号器の構成を示す図である。
【図５】基本ＴＭＣＣ情報の構成を示す図である。
【図６】伝送モード情報が示す伝送モードを説明するための図である。
【図７】ディジタル信号から分離したトランスポートストリームを示す図である。
【符号の説明】
１    復調部
２    同期検出部
３    トレリスビタビデコード部
４    デインターリーブ部
５    エネルギー逆拡散部
６    リードソロモン訂正部
７    ＴＭＣＣデコード部
８    基本ＴＭＣＣ情報挿入部
９    ＴＳ分離部
１００、１５２    変更指示情報
１０１    伝送モード／スロット情報
１０１ａ、１５５    伝送モード情報
１０１ｂ、１５６    スロット情報
１０２    相対ＴＳ／スロット情報
１０２ａ    相対ＴＳ情報
１０３    相対ＴＳ／ＴＳ番号対照テーブル
１０３ａ、１５７    ＩＤ情報
１０４    送信機／受信機制御情報
１０５    拡張情報
１５０    ＳＦ識別情報
１５１    フレーム識別情報
１５３    起動制御情報
１５４    バッファリセット情報
【図１】
0003567276.tif 000002
【図２】
0003567276.tif 000003
【図３】
0003567276.tif 000004
【図４】
0003567276.tif 000005
【図５】
0003567276.tif 000006
【図６】
0003567276.tif 000007
【図７】
0003567276.tif 000008